(57)【要約】      （修正有）【課題】コンピューティング・デバイスに提供されたデータ・ストレージ・デバイスの内容（データ）をパージするためのシステム、方法、およびコンピュータ・プログラムの提供。【解決手段】ＲＦＩＤ信号の受信に応答してデータ・ストレージ・デバイスのデータをパージするための命令を表す起動信号を生成するＲＦＩＤデバイスと、データ・ストレージ・デバイスのデータの物理的なパージを開始するためのロジックを呼び出すためにＲＦＩＤデバイスから受信された起動信号に応答する制御手段とを備える。ＧＰＳおよびＲＦＩＤを適用することにより、オブジェクトの動きが検出され、アラートがトリガされ、ディスクまたはデータのパージを生じさせるためにロジックを呼び出すためのデータ信号が生成されるため、暗号が漏えいしたコンピューティング・デバイスがリカバリ可能またはアクセス可能なデータを持たないことが保証される。【選択図】図１
2007193807.tif 000002
【特許請求の範囲】
【請求項１】
データ・ストレージ・デバイスを有するコンピューティング・デバイスのためのＲＦＩＤベースのデータ処理システムであって、
ＲＦＩＤ信号を送受信するように適合された前記コンピューティング・デバイス内のＲＦＩＤデバイスであって、ＲＦＩＤ信号の受信に応答して、前記データ・ストレージ・デバイスのデータをパージするための命令を表す起動信号を生成する、ＲＦＩＤデバイスと、
前記ＲＦＩＤデバイスから受信された前記起動信号に応答して、前記データ・ストレージ・デバイスのデータの物理的なパージを開始するためのロジックを呼び出す制御手段と、
を備える、データ処理システム。
【請求項２】
前記ＲＦＩＤ信号が、前記コンピューティング・デバイスからリモートに配置されたユーザから送信される、請求項１に記載のシステム。
【請求項３】
前記制御手段が、前記データの物理的な削除を保証するために前記コンピューティング・デバイスの物理レベルで格納されたロジックを実行するパージＢＩＯＳモジュールを含む、請求項１に記載のシステム。
【請求項４】
前記コンピューティング・デバイスが、
衛星によるナビゲーション・システムからの位置決定信号を受信し、前記コンピュータ・デバイスの位置を決定するように構成された、ナビゲーション位置受信機と、
前記決定された位置と前記コンピューティング・デバイスにあらかじめ格納された所定の位置データとを比較するための手段であって、前記起動信号が、前記コンピュータ・デバイスの場所が前記所定の位置データに対して変更されているとの決定に応答して生成される手段と、
をさらに備える、請求項１に記載のシステム。
【請求項５】
前記制御手段が、前記データ・ストレージ・デバイスのデータのパージを自動的に開始するために検出されたトリガ・イベントに応答し、当該トリガ・イベントはあらかじめ決められた所定の基準の合致を有する、請求項１に記載のシステム。
【請求項６】
前記所定の基準が、無効なシステム・パスワード入力の検出、またはしきい値回数を超えるログイン試行回数の検出の少なくとも１つを含む、請求項５に記載のシステム。
【請求項７】
前記所定の基準が、無効な検索パスワードの検出、またはしきい値回数を超える無効な検索試行回数の検出の少なくとも１つを含む、請求項５に記載のシステム。
【請求項８】
前記所定の基準が、無効な検索パスワードの検出、または無効な検索試行回数の検出の少なくとも１つを含む、請求項５に記載のシステム。
【請求項９】
前記所定の基準が、ユーザ定義のセキュリティ基準の合致の検出、またはユーザ定義のセキュリティ基準を回避するための試行回数超過の検出の少なくとも１つを含む、請求項５に記載のシステム。
【請求項１０】
前記所定の基準が、コンピュータ・デバイスの改ざん、窃盗、振動もしくは温度変化、または前記コンピューティング・デバイス近くでの人の会話や動きのうちの、１つまたは複数のオカレンスの検出を含む、請求項５に記載のシステム。
【請求項１１】
前記コンピューティング・デバイスが、パーベイシブ・デジタル・デバイス、ラップトップ・コンピュータ、ノート型コンピュータ、パーソナル・コンピュータ、またはサーバ・デバイスのうちの、１つまたは複数を備える、請求項１に記載のシステム。
【請求項１２】
ＲＦＩＤ信号を送受信するように適合されたＲＦＩＤデバイスを含むコンピューティング・デバイスにおいて、コンピューティング・デバイスに設けられたデータ・ストレージ・デバイスのデータをパージするための方法であって、
前記ＲＦＩＤ信号の受信に応答して前記データ・ストレージ・デバイスのデータをパージするための命令を表す起動信号を生成するステップと、
受信した起動信号に基づいて前記データ・ストレージ・デバイスのデータの物理的なパージを開始するためのロジックを呼び出すステップと、
を有する、方法。
【請求項１３】
前記コンピューティング・デバイスからリモートに配置されるユーザが、前記ＲＦＩＤデバイスによる受信のためのＲＦＩＤ信号から送信される、請求項１２に記載の方法。
【請求項１４】
前記ロジックを呼び出すステップが、前記データの物理的な削除を保証するために、前記コンピューティング・デバイスの物理レベルで格納されたロジックを実行するパージＢＩＯＳモジュールを活動化するステップを含む、請求項１２に記載の方法。
【請求項１５】
衛星によるナビゲーション・システムから位置決定信号を受信して、前記コンピュータ・デバイスの位置を決定するステップと、
前記決定された位置と前記コンピューティング・デバイスにあらかじめ格納された所定の位置データとを比較するステップであって、前記起動信号が、前記コンピューティング・デバイスの場所が前記所定の位置データに対して変更されていることの決定に応答して生成されるステップと、
をさらに有する、請求項１２に記載の方法。
【請求項１６】
あらかじめ決められた所定の基準の合致を含むトリガ・イベントの検出に応答して、前記データ・ストレージ・デバイスのデータのパージを自動的に開始するステップをさらに有する、請求項１２に記載の方法。
【請求項１７】
前記所定の基準が、無効なシステム・パスワード入力の検出、またはしきい値回数を超えるログイン試行回数の検出の少なくとも１つを含む、請求項１６に記載の方法。
【請求項１８】
前記所定の基準が、無効な検索パスワードの検出、しきい値回数を超える無効な検索試行回数の検出、ユーザ定義のセキュリティ基準の合致の検出、またはユーザ定義のセキュリティ基準を回避するための試行回数超過の検出のうちの少なくとも１つを含む、請求項１６に記載の方法。
【請求項１９】
前記所定の基準が、コンピュータ・デバイスの改ざん、窃盗、振動もしくは温度変化、または前記コンピューティング・デバイス近くでの人の会話や動きのうち、１つまたは複数のオカレンスの検出を含む、請求項１６に記載の方法。
【請求項２０】
請求項１２ないし１９のいずれか１つに記載の方法を、前記コンピューティング・デバイスに実行させるためのコンピュータ使用可能プログラム・コードを含む、コンピュータ・プログラム。
【発明の詳細な説明】
【技術分野】
【０００１】
本発明は、一般にデータ・セキュリティおよびＩＤ窃盗の分野に関し、とりわけ、窃盗などのコンピュータ・システムの暗号漏えい時に、たとえばディスク・ドライブなどのストレージ媒体からデータをワイプ（wipe）またはパージ（purge）するための、ＲＦＩＤ技術を用いたＲＦＩＤベースの「検知および応答」（Sense andRespond：「感知即応」とも称する）プロセスに関する。
【背景技術】
【０００２】
すべてのコンピュータ・ユーザはデータ・セキュリティの問題に直面する。たとえば、コンピュータが暗号漏えいや盗難に遭った場合、ディスク・ドライブ上のデータは無傷のままである。コンピュータが盗難に遭った場合、ディスク・ドライブにアクセスすることができるため、個人、機密、ビジネスおよび財務の各種データを悪意ある人物が取得できる状態となる。また、パスワードの取得や様々なシステムへの接続も可能である。
【０００３】
コンピュータ・セキュリティ、ＩＤ窃盗、不正行為、およびテロ行為におけるこの増加する問題に直接関係するシステムおよび方法を提供することが強く望まれている。コンピュータ・ユーザの基盤が増加するにつれて、問題も指数関数的に増加する。ますます多くのコンピュータ・ユーザが、機密情報をコンピュータのハード・ドライブに格納し、もはやこれらのシステムを所有しないことになると、必ず危険にさらされる。
【０００４】
コンピューティング・デバイスにおけるデータの保全性およびそのセキュリティを維持するための、代表的な従来のＲＦＩＤベースおよび非ＲＦＩＤベースのソリューションには、米国特許第５８７４９０２号、第５９３６５２６号、第５９５９５３０号、第６２０１４７４号、米国特許公報第２００２／０１６２０１１号、第２００３／０００５３１６号、第２００３／０１８２４３５号、および第ＷＯ０１０６５０７（Ａ１）号が含まれる。しかしながら、これらは、要求を受信すること、あるいはデバイスの改ざんや除去を判定する規則や基準を満たすことに基づき、コンピュータ関連デバイスにおけるデータのパージ（消去ないし除去すること）を開始することに備えていない。
【特許文献１】米国特許第５８７４９０２号
【特許文献２】米国特許第５９３６５２６号
【特許文献３】米国特許第５９５９５３０号
【特許文献４】米国特許第６２０１４７４号
【特許文献５】米国特許公報第２００２／０１６２０１１号
【特許文献６】米国特許公報第２００３／０００５３１６号
【特許文献７】米国特許公報第２００３／０１８２４３５号
【特許文献８】第ＷＯ０１０６５０７（Ａ１）号
【発明の開示】
【発明が解決しようとする課題】
【０００５】
トリガ条件やトリガ・イベントの自動検出または検知時に、あるいは手動による開始時に、任意のディスク・ドライブのデータを即時にワイプまたはパージするための機能を開始する、コンピュータまたはコンピュータ関連デバイスに実装されたＲＦＩＤベースの検出システムを提供することが強く望まれている。
【課題を解決するための手段】
【０００６】
本発明は、ディスク（または他のストレージ媒体）パージを決定および管理するために、ＲＦＩＤによる検知および応答の両方の技術を実施し、さらに、コンピュータまたはコンピュータ関連デバイス（コンピューティング・デバイス）におけるディスク・データのパージをトリガする機能を、許可されたユーザに提供する。
【０００７】
とりわけ、トリガ条件の検出時に、コンピュータまたはコンピュータ関連デバイスにおけるディスク・ドライブのデータを即時にワイプするための機能を開始することになる、ＲＦＩＤベースの検出システムが提供される。この方法および装置は、ドライブを即座にパージするための「検知および応答」ＲＦＩＤ呼び出しをトリガすることができる。とりわけ、ディスク・ドライブのデータを消去またはパージする、「検知および応答」ＲＦＩＤプロセスが実施される。この「検知および応答」ＲＦＩＤプロセスは、ドライブを瞬時にパージするための「検知および応答」ＲＦＩＤ呼び出しのトリガに基づく。
【０００８】
本発明によれば、コンピューティング・デバイスに提供されたデータ・ストレージ・デバイスのコンテンツ（内容）であるデータをパージするためのデータ処理システム、方法、およびコンピュータ・プログラムが提供される。このシステムは、コンピューティング・デバイス内に提供され、ＲＦＩＤ信号の送受信に適合され、ＲＦＩＤ信号の受信に応答してデータ・ストレージ・デバイスのデータをパージするための命令を表す起動信号を生成するＲＦＩＤデバイスと、データ・ストレージ・デバイスのデータの物理パージを開始するためのロジックを呼び出すために、ＲＦＩＤデバイスから受信された起動信号に応答する制御手段とを備える、ＲＦＩＤベースのシステムである。
【０００９】
一実施形態では、データ・パージはイベントのトリガの検出時に自動的に開始される。
【００１０】
本発明の他の実施形態では、ＲＦＩＤ信号はコンピューティング・デバイスからリモートに配置されたユーザによってその送信が開始される。
【００１１】
本発明の他の実施形態では、コンピューティング・デバイスは、衛星によるナビゲーション・システムからの位置決定信号を受信し、デバイスの位置を決定するために構成された衛星ナビゲーション受信機と、当該コンピューティング・デバイスの場所があらかじめ決められた所定の位置に対して変更されている旨の決定を含むトリガ・イベントのために、位置決定信号により決定されたデバイスの位置とあらかじめ決められてた所定のデバイスの位置とを比較するための手段を含む。
【００１２】
有利なことには、このシステムは通常の様式で電源をオンにする必要がなく、システムに挿入された電池がプロセスを駆動することになる。加えて、いったんシステムがオンになると、パージも実行することができる。この「検知および応答」プロセスの開始は、たとえば所有者などのコンピュータ・ユーザによってリモートに、または衛星ベースのナビゲーション・システム（たとえばＧＰＳ）を使用する場所検出によって、トリガすることができる。
【００１３】
本発明のこれらおよび他の目的、特徴、および利点は、添付の図面に関連して記載される以下の例示的な諸実施形態の説明からも明らかになります。
【発明を実施するための最良の形態】
【００１４】
本発明は、サーバを介して、またはデバイスの衛星ベース（たとえばＧＰＳ）の場所検出によって、媒体ストレージ・ユニットを有するコンピューティング・デバイスの所有者によってトリガされたＲＦＩＤ「検知および応答」プロセスを通じて開始することが可能な、媒体ストレージ・デバイス上のデータを物理パージすることに備える。したがって本発明は、システムのデータが悪人の手に渡らないこと、または不正目的に使用されないことを保証するために役立つ。本発明の諸態様について、本発明に従った「検知および応答」ＲＦＩＤディスク・パージ機能を有するコンピュータティング・デバイス１２を示す一般概略図である、図１を参照しながら説明する。とりわけ、任意の据え置き型またはモバイルのコンピューティング・デバイス（たとえばラップトップ、ノート型、パーソナル・コンピュータ、サーバなど）を表すことができるコンピューティング・デバイス１２は、たとえばＷｉｎｄｏｗｓ（登録商標）、Ｌｉｎｕｘ（登録商標）その他の同様のオペレーティング・システム・プログラムを実行する中央処理ユニット（ＣＰＵ）１３と、ユーザ・インターフェース（たとえばディスプレイ）デバイス１９とを含み、さらに、物理的にコンピューティング・デバイスの一部であるハード・ディスク・ドライブ１５ａ、．．．１５ｃなどのデータ・ストレージ媒体に格納された、潜在的に極秘または機密の情報を含む。このデバイスには、本発明に従ってパージ機能を開始するための「検知および応答」ＲＦＩＤモジュール２０が実装される。
【００１５】
「検知および応答」ＲＦＩＤモジュール２０は、とりわけ、ＲＦＩＤ問い合わせ（interrogator）デバイスもしくはＲＦＩＤ信号その他の信号をたとえばアンテナ・デバイス３６を介して送信するように適合された同様のデバイス（またはその両方）を含むリモート・システム５０からの問い合わせ信号を送信および受信するための、本明細書ではＲＦＩＤトランスポンダ３５と呼ばれるＲＦＩＤタグ・デバイスを含む。
【００１６】
ＲＦＩＤ問い合わせデバイスは、トランシーバ、復号器、ならびに、ＲＦＩＤトランスポンダ３５からのデータの読み取りおよびこれへのデータの書き込みが可能なようにＲＦＩＤタグを活動化させる信号を発信するように構成されたアンテナを含む。トランスポンダは、通常は受動デバイスである（すなわち、ＲＦＩＤトランスポンダ３５は、その回路を駆動させるためのエネルギーを、受信した問い合わせ信号から吸収する）が、読み取り専用または読み取り／書き込みタイプであるように構成可能であり、バッテリまたは同様の電源（図示せず）を有してもよい。ＲＦＩＤトランスポンダ３５は、受信機／送信機およびコントローラ回路を含む単一のシリコン・チップ上のＡＳＩＣならびに関連付けられた付属のメモリ・デバイスとして製造することができる。このメモリは、識別コード、または対応する特定のコンピューティング・デバイスに関する他のデータを格納する。別の方法として、トランスポンダは、タグ、アンテナ、リーダおよびコントローラに関する論理（ロジック）、必須ソフトウェア・システムなどの、統合構成要素の集合体を備えることができる。
【００１７】
「検知および応答」ＲＦＩＤデバイス２０は、さらに、好適なアンテナ・デバイス２６を介して、たとえばＧＰＳ信号などの衛星データ信号（図示せず）の伝送を受信するための、全地球測位システム（ＧＰＳ）受信機デバイス２５を含み、当分野で知られるように、受信した衛星データ信号からコンピューティング・デバイス１２の場所を決定するための処理機能を含む。受信機デバイス２５は、ＧＰＳ、ＧＬＯＮＡＳＳ、およびＧａｌｉｌｅｏなどの衛星ナビゲーション・システムに実装された３つまたはそれ以上の衛星からの信号、ならびに同様の衛星ベースの伝送信号を受信するため、さらにコンピューティング・デバイス１２の場所または位置座標（たとえば緯度および経度）を決定するために採用された、任意の衛星ナビゲーション・システム受信機デバイスを備えることができることを理解されたい。好ましい実施形態では、デバイス１２の位置座標データは、受信機デバイス２５それ自体における処理によって、または受信機デバイス２５に結合されたＣＰＵデバイス４０によって、決定することができる。
【００１８】
一般に「検知および応答」ＲＦＩＤデバイス２０ならびに衛星ベースの位置決定受信機の動作を制御するのは、図３に関して本明細書でより詳細に説明するように、ＲＦＩＤ「検知および応答」に関する機能ならびにパージ機能を実施する論理（ロジック：たとえば規則等）４５を格納する関連メモリを有する、マイクロコントローラ・デバイスまたはＣＰＵ  ４０である。
【００１９】
典型的な動作では、問い合わせ信号７５の受信に応答して、マイクロコントローラまたはＣＰＵ  ４０は、プログラム済み論理４５に従って「検知および応答」ＲＦＩＤデバイス２０に関する制御およびデータ処理を実行することができる。一実施形態では、トランスポンダ３５は、最初に、識別コードもしくは他のデータまたはその両方を、そのメモリからリモートの問い合わせシステム５０または他のトランスポンダ・デバイスに返送することができる。これは、（外部入力および出力用に使用される）センサ／アクチュエータと組み合わせたソフトウェア・ロジックと組み合わせて実行され、データのパージなどのイベントをトリガするため、またはアクションを起こさせるための他のリモート・トリガを開始するために、システムおよびデバイスに命令を警告するために必要であり、これによって、「検知および応答」シナリオが送達される。とりわけ、以下でより詳細に説明するように、本発明によれば、さらにＲＦＩＤトランスポンダ３５は、ある種の機能を実行するための「アクション」信号（起動信号）を他のトランスポンダまたは他のデバイスに送信するように構成される。本発明との関連において、「アクション」信号は、それぞれの信号回線６５ａ、．．．、６５ｃを介して接続されたハード・ディスク・ドライブ１５ａ、．．．、１５ｃ上のすべてのデータのパージ／削除を実行するように一般化される。したがって、たとえば図１に示されるように、マイクロコントローラ４０によって実行される・ロジックは、ディスク・ドライブ上に含まれるすべてのデータを消去またはその他の方法で削除（パージ）するための機能を実行開始するために、コンピューティング・デバイスのオペレーティング・システムとインターフェースする「パージＢＩＯＳ」モジュール６０を自動的に活動化することになる。とりわけパージＢＩＯＳ（基本入出力システム）モジュール６０は、ハード・ディスク・ストレージの物理的な「ワイプ」を開始する、すなわちディスクを物理的にクリーニング（clean）する（そして、おそらくはディスク・データを物理的に破壊する）ためのロジックを実行する。このロジックは物理レベルで格納され、物理的削除を保証する。また、このロジックはＢＩＯＳレベルにあるため、ソフトウェア・レベルでは修正不可能であり、通常のオペレーティング・システムの外で開始されてもよい。
【００２０】
図２の「検知および応答」ＲＦＩＤディスク・パージ・システム１００の動作を示す概念図では、図１の「検知および応答」無線周波識別（ＲＦＩＤ）デバイスを、パーベイシブ・デバイス１１０（たとえば携帯情報端末またはＰＤＡ）、モバイル・デバイス１２０（たとえばラップトップまたはノート型コンピュータ）、システム・サーバ・デバイス１３０を含むが、これに限定されない各種のコンピューティング・デバイス内で実装することができる。各パーベイシブ・デバイス１１０、モバイル・デバイス１２０、またはシステム・サーバ・デバイス１３０は、それぞれのコンピューティング・デバイスのハード・ディスク・ドライブ内に含まれるデータを即座にパージするための機能を開始する、＾検知および応答」ＲＦＩＤ問い合わせ（interrogation）を受信するための、ＲＦＩＤタグ・アンテナを含む。特に、「検知および応答」プロセスの開始は、許可されたコンピュータ・ユーザ９９によってリモートに、または衛星ベースのナビゲーション・システム（たとえばＧＰＳ）を使用した場所検出によって、トリガすることができる。好ましくは、許可されたコンピュータ・ユーザ９９による問い合わせに応答して、または以下でより詳細に説明する自動化手段によって、「検知および応答」ＲＦＩＤデバイス２０は、パージＢＩＯＳモジュール６０を活動化することにより、ディスク全体を上書きすることによってハード・ディスク上のデータを物理的に除去するパージ・ドライブ・プロセスを開始する。第２のステップとして、たとえば、媒体上のヘッドを直接ドロップするコマンドを始動したり、本質的にドライブに損傷を与えるべく媒体をスクラッチしたりすることによってディスクを使用不可にする処理を実行してもよい。これらの上書き処理と物理的損傷との組み合わせにより、媒体を物理的に使用不可にし、データを認識不能にすることをより確実に実施することができる。
【００２１】
図３は、「検知および応答」ＲＦＩＤデバイス２０内のＣＰＵ  ４０によって実行されるロジック、あるいは別の方法として、各コンピューティング・デバイス１２のデバイスＣＰＵ  １３（図２に示されるような）によって実行されるロジックによって実施される、プロセス２００を示す図である。図３のＡに示されるように、第１のステップ２２０ａでは、デバイスは、ＧＰＳ受信機によって受信された衛星ナビゲーション・システムのデータに基づいて、ディスク・データのパージ・トリガ条件を評価するためのロジックを実施する。たとえば、デバイス１２のデバイス位置が、事前設定された場所または起点に対して変更されている、あるいはあらかじめ決定された所定の範囲または半径の外にある、と判定された場合、ステップ２５０に示されるようにディスク・パージが開始される。すなわち、衛星ナビゲーション・システムを介して受信された信号に基づいて場所または位置（座標）が決定され、たとえば計算された決定場所が、デバイスにプログラミングされた起点に関する事前設定された場所の外にあるかどうかを判定するために、「検知および応答」ＲＦＩＤデバイス２０内のＣＰＵ  ４０によってロジックが実施される。デバイスの位置が移動していると判定された場合、ディスク・パージが開始され、「検知および応答」ＲＦＩＤデバイス２０を介して適切な信号検知および応答アラートが生成される。さらに図３のＡでは、次のステップ２７５がシステム構成要素のパワーダウンを含むことができる。衛星システムからの信号を受信するため、および位置／場所座標を計算するための、衛星ベース（たとえばＧＰＳ）の受信機デバイスの活動化は、定期的に自動化すること、もしくはユーザによって開始すること、またはその両方が可能であることを理解されたい。図３のＡでさらに示されるように、ステップ２２０ａで、コンピューティング・デバイスが事前設定された領域を外れていないと検出された場合、ステップ２９９でシステムはその現在の状態に戻り、すなわちシステムはエンド・ユーザにいかなる変更も通知せずに、通常通り機能を続行する。
【００２２】
同様に図３のＢに示されるように、ステップ２２０ｂでデバイスは、ユーザが開始したパージ要求信号に基づいてディスク・データのパージ・トリガ条件を評価するためのロジックを実施する。すなわちユーザは、ＲＦＩＤおよび他の信号をたとえばアンテナ・デバイス３６を介して通信するように適合されたＲＦＩＤ問い合わせデバイスもしくはその他同様のデバイス、またはその両方を含むリモート・システム５０を介して（図１を参照）、パージ要求信号の伝送をリモートに開始することができる。ＲＦＩＤ問い合わせデバイスあるいは同様のデバイス５０を介してデータ・パージ要求信号を受信すると、「検知および応答」ＲＦＩＤデバイス２０を介した適切な「検知および応答」アクション信号を生成することにより、ディスク・パージが開始される。さらに図３のＢでは、次のステップ２７５がシステム構成要素のパワーダウンを含むことができる。さらに図３のＢに示されるように、リモートのデータ・ディスク・パージ要求信号がステップ２２０ｂで受信されなかった場合、ステップ２９９でシステムはその現在の状態に戻り、すなわちシステムはエンド・ユーザにいかなる変更も通知せずに、通常通り機能を続行する。
【００２３】
さらに図３のＣに示されるように、ステップ２２０ｃで、コンピューティング・デバイスは、ディスク・データ・パージを保証するイベントまたは条件を決定するためのロジックを実施する。すなわちステップ２２０ｃで、デバイスは、メモリ消去、すなわちハード・ディスクのデータ・パージを開始するためのトリガ条件を決定または評価するためのロジックを実施する。ハード・ディスクのデータ・パージを開始するためのトリガ条件基準には、１）ユーザが開始したパージのためのリモート信号伝送、２）無効なシステム・パスワード入力の検出、またはしきい値試行回数を超えるログイン試行回数の検出、３）無効な検索パスワードの検出、またはしきい値試行回数を超える無効な検索試行回数の検出、４）パスワードの無効なランダム使用の検出、またはしきい値試行回数を超える無効なランダム使用の試行回数の検出、５）メモリ内に常駐する任意のクッキーをスキャンするための長時間にわたるタスク実行の検出、６）無効な長時間にわたるタスク・パスワード実行の検出、またはしきい値試行回数を超える無効な長時間にわたるタスク・パスワード実行の試行回数の検出、７）ユーザ定義のセキュリティ基準合致の検出、またはユーザ定義のセキュリティ基準を回避するための試行回数超過の検出、８）メモリ内に常駐する任意のクッキーをスキャンするための長時間にわたるタスク実行の検出、９）ハード・ドライブそれ自体を除去するための試行またはそのしきい値試行回数を超える試行の検出、あるいは、１０）未許可のレジストリ・アクセスを有するユーザの検出が含まれるが、これらに限定されることはない。各インスタンスにおいて、パージ・トリガ・イベントが検出されると、「検知および応答」ＲＦＩＤデバイス２０を介して適切「検知および応答」アクション信号を生成することによってディスク・データのパージが開始される。すなわち、パージ・プロセスを開始するためにＲＦＩＤ信号が使用される。さらに図３のＣでは、次のステップ２７５がシステム構成要素のパワーダウンを含むことができる。図３のＣに示されるように、ステップ２２０ｃでパージ・トリガ・イベントまたは条件が検出されなかった場合、ステップ２９９でシステムはその現在の状態に戻り、すなわちシステムはエンド・ユーザにいかなる変更も通知せずに、通常通り機能を続行する。
【００２４】
したがって、任意の検出可能な基準またはパターンがディスク・データのパージを開始できることは、本発明の範囲内である。すなわち、システムによって「検知」可能であり、状況を訂正するかまたはリソースを保護するための「応答」を開始可能な、任意の所与のイベントが企図される。他のイベントには、検出された改ざん、窃盗、振動、温度変化などのオカレンス、あるいはデバイスに近接した人間の会話および動きの検出までも、すなわち、パージ・ドライブ・プロセスを開始するためにリモート・サービスを呼び出すために、ＲＦＩＤを使用した信号発信に応答する装置を使用して検知できるようなイベントが、含まれる。追加の基準またはパターンには、１）ユーザ定義された質問／回答の実施、２）パスワード・クラッキング（cracking）・ソフトウェア（プロセス名を格納する）の実行の検出、３）キーストローク・ロギング・ソフトウェアの実行の検出、４）ログイン・スプーフィング（spoofing）の検出、５０回の復号試行の検出、およびたとえば辞書攻撃の検出が含まれる。
【００２５】
本発明の技術をソフトウェア・ロジックに適用した場合、検知および応答信号を使用して、システムが提供した基準に基づくディスク・パージが開始される。ＧＰＳおよびＲＦＩＤを適用することにより、オブジェクトの動きが検出され、アラートがトリガされ、データ信号を介してディスクまたはデータのパージを生じさせるためのロジックを呼び出すことができるため、暗号が漏えいしたデバイスがリカバリ可能またはアクセス可能なデータを持たないことが保証される。こうしたデバイス１２内で実行されるロジックは、送信または受信された信号を解釈した後、ディスク・パージ結果を生じさせるために自動化プロセスをトリガする。
【００２６】
以上、本発明について、本発明の諸実施形態に従った方法、装置（システム）、およびコンピュータ・プログラム製品の図を参照しながら説明してきた。それぞれの図は、コンピュータ・プログラム命令によって実施可能であることを理解されよう。これらのコンピュータ・プログラム命令は、コンピュータまたは他のプログラム可能データ処理装置のプロセッサを介して実行する命令が、本明細書で指定された機能を実施するための手段を作成するように、汎用コンピュータ、特定用途向けコンピュータ、埋め込み形プロセッサ、またはマシンを作成するための他のプログラム可能データ処理装置に適用することが可能である。
【００２７】
コンピュータ読み取り可能メモリ内に格納された命令が本明細書で指定された機能を実施する命令手段を含む製品を製造するように、コンピュータまたは他のプログラム可能データ処理装置が特定の様式で機能するように指示することが可能なこれらのコンピュータ・プログラム命令を、コンピュータ読み取り可能メモリ内に格納することもできる。
【００２８】
コンピュータまたは他のプログラム可能装置上で実行する命令が、本明細書で指定された機能を実施するためのステップを提供するように、コンピュータ・プログラム命令は、コンピュータ読み取り可能または他のプログラム可能データ処理装置上にロードして、コンピュータ実施プロセスを生成するために、一連の動作ステップをコンピュータまたは他のプログラム可能装置上で実行させることができる。
【００２９】
以上、本発明について、その例示および事前に形成された諸実施形態に関して具体的に図示および説明してきたが、当業者であれば、形式および細部における前述および他の変更が、添付の特許請求の範囲によってのみ制限されるべき本発明の趣旨および範囲を逸脱することなく、実行可能であることを理解されよう。
【図面の簡単な説明】
【００３０】
【図１】本発明に従った、「検知および応答」ＲＦＩＤディスク・パージ機能を有するコンピュータ関連デバイス１２を示す一般概略図である。
【図２】本発明に従った、「検知および応答」ＲＦＩＤディスク・パージ・システム１０の詳細な動作を示す概念図である。
【図３】本発明に従った、「検知および応答」ＲＦＩＤディスク・パージ・システム１０によって実施されるプロセスを示す流れ図である。
【符号の説明】
【００３１】
１０    「検知および応答」ＲＦＩＤディスク・パージ・システム
１２    コンピューティング・デバイス
１３    標準ＣＰＵ
１５ａ    格納データ
１５ｂ    格納データ
１５ｃ    格納データ
１９    ユーザ・インターフェース
２０    「検知および応答」ＲＦＩＤデバイス
２５    ＧＰＳ
２６    アンテナ・デバイス
３５    ＲＦＩＤタグ信号
３６    アンテナ・デバイス
４０    ＣＰＵ
４５    論理（ロジック）
５０    リモート・システム
６０    パージＢＩＯＳ
６５ａ    信号回線
６５ｂ    信号回線
６５ｃ    信号回線
７５    ＲＦＩＤ信号
【図１】
2007193807.tif 000003
【図２】
2007193807.tif 000004
【図３】
2007193807.tif 000005